(57)【要約】【課題】自局に適した設定されるべきＶＩＤが事前に分かっていない場合であっても、自局において適したＶＩＤを設定することが可能な基地局、およびそのＶＩＤ決定方法を提供すること。【解決手段】  ＴａｇＶＬＡＮ方式によって仮想網と通信する回線通信部１１と、他基地局からＶＩＤを取得する制御部１４とＶＩＤのリストである候補リストを予め記憶する記憶部１３とを備え、制御部１４は、ＶＩＤを取得した際に候補リストを更新し、候補リストに記憶されたＶＩＤを用いて仮想網との接続を試行するように構成する。【選択図】図３
2015033048.tif 000002
【特許請求の範囲】
【請求項１】
ＴａｇＶＬＡＮ方式によって仮想網と通信する通信部と、
他基地局からＶＩＤを取得する制御部とを備え、
前記制御部は、前記取得されたＶＩＤを用いて前記仮想網との接続を試行し、該仮想網との接続に成功したらそのＶＩＤに決定する基地局。
【請求項２】
ＶＩＤのリストである候補リストを予め記憶する記憶部を備え、
前記制御部は、ＶＩＤを取得した際に前記候補リストを更新し、前記候補リストに記憶されたＶＩＤを用いて前記仮想網との接続を試行する請求項１に記載の基地局。
【請求項３】
ＴａｇＶＬＡＮ方式によって仮想網と通信する通信部と、他基地局からＶＩＤを取得する制御部とを備えた装置のＶＩＤ決定方法において、
前記制御部は、前記取得されたＶＩＤを用いて前記仮想網との接続を試行するステップと、
前記制御部は、該仮想網との接続に成功したらそのＶＩＤに決定するステップを備えたＶＩＤ決定方法。
【発明の詳細な説明】
【技術分野】
【０００１】
本発明は、ＴａｇＶＬＡＮ方式によって仮想網と通信する基地局、およびその基地局がＴａｇＶＬＡＮ方式によって基地局との通信に使用する識別番号であるＶＩＤを決定するＶＩＤ決定方法に関する。
【背景技術】
【０００２】
ＴａｇＶＬＡＮは、ＶＬＡＮ（Virtual Local Area Network：仮想ＬＡＮ）の１つである。基地局においてＴａｇＶＬＡＮによる仮想網の通信を行う際には、例えばＩＥＥＥ  ８０２．１Ｑの規格に基づいて１〜４０９４のＶＬＡＮの識別番号（以下、ＶＩＤと称する）を基地局のＥｔｈｅｒフレームに付与する必要がある（例えば特許文献１）。
【先行技術文献】
【特許文献】
【０００３】
【特許文献１】特開２００３−５１８３５号公報
【発明の概要】
【発明が解決しようとする課題】
【０００４】
基地局をＴａｇＶＬＡＮ方式によって仮想網と通信させるためには、それらは同じＶＬＡＮを介する必要がある。したがって、基地局には、接続したい仮想網と同じＶＩＤを設定することとなる。通常、接続したい仮想網のＶＩＤ、すなわち基地局に設定するべきＶＩＤは事前に分かっていて、そのＶＩＤを設定することによりＴａｇＶＬＡＮによる仮想網との通信が可能となる。しかしながら、設定するべきＶＩＤ（接続したい仮想網のＶＩＤ）が事前に分からない場合もあり、この場合、基地局にＶＩＤを設定できない。その結果、ＴａｇＶＬＡＮによる仮想網との通信が不可能となってしまうため、基地局の出荷ができなくなる。
【０００５】
本発明は、このような課題に鑑み、自局に適した設定されるべきＶＩＤが事前に分かっていない場合であっても、自局において適したＶＩＤを設定することが可能な基地局、およびそのＶＩＤ決定方法を提供することを目的とする。
【課題を解決するための手段】
【０００６】
上記課題を解決するために、本発明にかかる基地局の代表的な構成は、ＴａｇＶＬＡＮ方式によって仮想網と通信する通信部と、他基地局からＶＩＤを取得する制御部とを備え、前記制御部は、前記取得されたＶＩＤを用いて前記仮想網との接続を試行し、該仮想網との接続に成功したらそのＶＩＤに決定するものである。
【０００７】
また、本発明にかかる基地局の代表的な構成は、ＶＩＤのリストである候補リストを予め記憶する記憶部を備え、前記制御部は、ＶＩＤを取得した際に前記候補リストを更新し、前記候補リストに記憶されたＶＩＤを用いて前記仮想網との接続を試行するものである。
【０００８】
上記課題を解決するために、本発明にかかるＶＩＤ決定方法は、ＴａｇＶＬＡＮ方式によって仮想網と通信する通信部と、他基地局からＶＩＤを取得する制御部とを備えた装置のＶＩＤ決定方法において、前記制御部は、前記取得されたＶＩＤを用いて前記仮想網との接続を試行するステップと、前記制御部は、該仮想網との接続に成功したらそのＶＩＤに決定するステップを備えたものである。
【発明の効果】
【０００９】
本発明によれば、自局に適した設定されるべきＶＩＤが事前に分かっていない場合であっても、自局において適したＶＩＤを設定することが可能な基地局、およびそのＶＩＤ決定方法を提供することができる。
【図面の簡単な説明】
【００１０】
【図１】本実施形態に関する通信システムを示す図である。
【図２】本実施形態に関する基地局のブロック図である。
【図３】本実施形態に関する基地局の動作例を示すフローチャートである。
【図４】本実施形態に関するＶＩＤ対応表および受信レベルリストを示す図である。
【図５】自局の受信レベルリスト、他局のＶＩＤ対応表、および自局のＶＩＤ対応表を示す図である。
【図６】本実施形態に関する取得ＶＩＤリストを示す図である。
【発明を実施するための形態】
【００１１】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１２】
本実施形態にかかる基地局を含む通信システムを説明する。本実施形態では、ＴａｇＶＬＡＮを使用する基地局を含む通信システムにおいて、基地局の設置時の内容について説明する。
【００１３】
以下、図１に示す通信システムについて説明しながら本実施形態に関する基地局１０およびそのＶＩＤ決定方法について説明する。なお、本実施形態では基地局１０を例示したが、これに限定するものではなく、ＴａｇＶＬＡＮ方式によって通信するものであれば、如何なるものにも本発明を適用可能である。
【００１４】
ＶＩＤ１０１を有する基地局は、運用網とＶＬＡＮ（ＶＩＤは１０１）で通信している。ＶＩＤ７５を有する基地局は、運用網とＶＬＡＮ（ＶＩＤは７５）で通信している。ＶＩＤ６３を有する基地局は、運用網とＶＬＡＮ（ＶＩＤは６３）で通信している。通常、ＶＩＤは、事前に設置する網環境に合ったＶＩＤを個々の基地局に設定されている。ただし、図１の基地局１０は、ＶＩＤが未だ設定されていない。
【００１５】
図２は、本実施形態に関する基地局のブロック図である。基地局１０は、無線通信部１１、網通信部１２、記憶部１３、および制御部１４を有している。
【００１６】
無線通信部１１は、送信部および受信部によって構成され、携帯端末等と通信するためのアンテナから無線信号を送受信するものである。また、無線通信部１１の送信部は、制御部１４から出力された信号を変調し、変調された信号を送信し、無線通信部１１の受信部は、信号を受信した場合、その信号を復調処理して制御部１４に出力するものである。
【００１７】
網通信部１２は、運用網とＶＬＡＮを介して通信するものであり、例えばネットワークインタフェースによって構成される。
【００１８】
記憶部１３は、基地局の情報を保持するものであり、メモリによって構成される。例えば、記憶部１３が保持する情報としては、図４に示すように、ＶＩＤ対応表や受信レベルリスト等が記憶されている。なお、ＶＩＤ対応表については、予め記憶されている情報であって、例えば、工場出荷時に記憶される。
【００１９】
制御部１４は、例えばプログラムを実行するＣＰＵ、ＲＯＭ、ＲＡＭなどによって構成され、基地局動作に必要なプログラムを実行する。
【００２０】
以上のように構成された基地局１０の動作について図面を用いて説明する。図３は、本実施形態に関する基地局の動作例を示すフローチャートである。
【００２１】
まず、本フローチャートを説明する前に、基地局１０には、工場出荷時などで図４（Ａ）に示すＶＩＤ対応表が設定されており、記憶部１３に記憶されている。
ＶＩＤ対応表は、一斉呼出エリア番号とＶＩＤとの対応表である。また、この対応表（パラメータ）は、後日、ネットワーク経由でダウンロード・更新も可能である。なお、一斉呼出エリア番号とＶＩＤは１対１に対応している。
【００２２】
ここで、基地局１０がどこかのエリアに設置され、起動された場合のフローチャートについて説明する。
【００２３】
基地局１０は、周辺基地局の識別子（ＣＳＩＤ）およびその基地局の受信レベルを取得し、受信レベルが高い順に受信レベルリストを作成する（Ｓ０１）。その受信レベルリストを図４（Ｂ）に示す。
【００２４】
次に、基地局１０は、受信レベルリストの受信レベルの高い順で、受信レベルの高い基地局から、他基地局のＶＩＤ対応表を取得する（Ｓ０２）。取得された他基地局のＶＩＤ対応表を図５（Ａ）に示す。図５（Ａ）のＶＩＤ対応表は、ＣＳＩＤが８５０Ａ０１００００００の基地局のものである。勿論、この基地局を除く基地局のＶＩＤ対応表も取得することができる。
【００２５】
次に、基地局１０は、取得された他基地局のＶＩＤ対応表から順番に、他基地局のＶＩＤ対応表からＶＩＤを取り出し、取り出したＶＩＤを確認する（Ｓ０３）。すなわち、基地局１０は、取り出したＶＩＤが自基地局のＶＩＤ対応表に保持しているか否かを確認し（Ｓ０４）、保持している場合は何もしない。
【００２６】
保持していない場合、このＶＩＤを自基地局のＶＩＤ対応表に格納してＶＩＤ対応表を更新する（Ｓ０５）。例えば、図５（Ｂ）に示すように、ＶＩＤ６３は、自基地局のＶＩＤ対応表が保持していないため、基地局１０は、このＶＩＤ６３を格納する。
【００２７】
続いて、基地局１０は、取得された他基地局のＶＩＤ対応表の全ＶＩＤを確認したか否かを判定し（Ｓ０６）、全ＶＩＤを確認していない場合は、何もしない。全ＶＩＤを確認していた場合には、自基地局のＶＩＤ対応表にＶＩＤがあるか否かを判定する（Ｓ０７）。
【００２８】
続いて、基地局１０は、ＶＩＤがない場合には、処理は終了し、ＶＩＤがある場合には、Ｓ０５においてＶＩＤを格納した順番に並べ替えた取得ＶＩＤリストを作成する（Ｓ０８）。作成された取得ＶＩＤリストを図６に示す。
【００２９】
次に、基地局１０は、格納した順番にＶＩＤを取得ＶＩＤリストから選択してＶＬＡＮへの接続を試みる（Ｓ０９）。接続結果が成功の場合（Ｓ１０）、基地局１０は、選択したＶＩＤを確定して保持し（Ｓ１１）、接続結果が失敗の場合（Ｓ１０）、全ＶＩＤを選択したか否かを判定し（Ｓ１２）、全ＶＩＤを選択してない場合、Ｓ０９で次のＶＩＤを取得ＶＩＤリストから選択してＶＬＡＮへの接続を試みる。
【００３０】
以上説明したように、基地局１０は、基地局設置時に、周辺基地局からＶＩＤを収集し、そのＶＩＤを用いてＶＬＡＮへの接続を行うため、自局に適した設定されるべきＶＩＤが事前に分かっていない場合であっても、自局において適したＶＩＤを設定することができる。
【００３１】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【符号の説明】
【００３２】
１０  基地局
１１  無線通信部
１２  回線通信部
１３  記憶部
１４  制御部
【図１】
2015033048.tif 000003
【図２】
2015033048.tif 000004
【図３】
2015033048.tif 000005
【図４】
2015033048.tif 000006
【図５】
2015033048.tif 000007
【図６】
2015033048.tif 000008